(57)【特許請求の範囲】
【請求項１】
外部の機器との間で無線信号を送受信するアンテナと、
感度レベルを入力する入力手段を備え、
指針駆動手段によって前記アンテナの上方を回転動作される複数の指針と、
この複数の指針を、前記指針駆動手段によって移動させて、前記アンテナとの重なり具合を調整して前記アンテナの電波送受信感度を調整する感度調整手段と、
を備え、
前記感度調整手段は、前記入力手段によって入力された感度レベルに応じて、前記指針駆動手段によって前記複数の指針を移動させて前記アンテナとの重なり具合を調整することを特徴とする指針式時計。
【請求項２】
前記複数の指針として時針及び分針を備え、
前記感度調整手段は、電波の送受信の前に、前記指針駆動手段を制御し、前記時針及び前記分針の全てを前記アンテナと重ならない位置と、前記時針及び前記分針の少なくとも1つが前記アンテナと重なる位置とを前記時針及び前記分針に選択的に取らせることを特
徴とする請求項１に記載の指針式時計。
【請求項３】
前記複数の指針として時針、分針及び秒針を備え、
前記感度調整手段は、電波の送受信の前に、前記指針駆動手段を制御し、前記時針、前記分針及び前記秒針の全てが前記アンテナと重ならない位置と、前記時針、前記分針及び前記秒針の少なくとも1つが前記アンテナと重なる位置とを前記時針、前記分針及び前記秒針
に選択的に取らせることを特徴とする請求項１に記載の指針式時計。
【請求項４】
前記複数の指針と前記アンテナとの間に文字板が配置され、
この文字板に開口された電波入出口を有すると共に、周壁が電波遮蔽部で構成され、底部に前記アンテナが設置された電波入出路を備えることを特徴とする請求項１から３のいずれか一項に記載の指針式時計。
【発明の詳細な説明】
【技術分野】
【０００１】
本発明は指針式時計に関するものである。
【背景技術】
【０００２】
近年、無線通信機能を備える腕時計等の電子機器間において、無線方式によってデータのやり取りをしたり、情報の同期を取ったりする等、各種データの送受信（通信）を行う手法が浸透しつつある。
こうした無線通信によって送受信されるデータには個人情報も多く含まれる可能性がある。このため、個人のプライバシー等を保護するためにも、データの送受信は特定の電子機器から特定の電子機器に対して正確に行われる必要がある。
【０００３】
しかし、身の回りに複数の電子機器がある場合、他の電子機器との干渉が起こって目的の電子機器との間で正確に無線通信を行うことができないおそれがある。特にBluetooth（登録商標）など波長の長い電波を取り扱う際には、障害物等に強く電波が遮断されにくいという性質があるために、他の電子機器との干渉を起こしやすい。
【０００４】
従来、無線通信システムにおいて、他の電子機器との干渉を避けて、通信を行いたい電子機器同士を適切にペアリング（すなわち、初期の認識作業）する方法として、ペアリングしたい電子機器（電子デバイス）を互いに近傍となる位置に配置するとともに、一方の電子機器から、無線通信システムにおける標準の信号出力電力レベルよりも小さい電力レベルに制限された問い合わせ信号を送信し、他方の電子機器がこの問い合わせ信号を検出すると、これに対する応答信号を送信する。そして、当該電子機器が問い合わせ信号に応答する最初の電子機器であることに基づいて、双方の電子機器間で、ポイントツーポイント接続を開始するという手法が提案されている（例えば、特許文献１参照）。
【０００５】
このような手法でペアリングを行った場合には、他の電子機器との干渉を避けて目的とする電子機器間でのみ通信を成立させ、適切にペアリングを行うことができる。
【先行技術文献】
【特許文献】
【０００６】
【特許文献１】特表２００７−５３６８５２号公報
【発明の概要】
【発明が解決しようとする課題】
【０００７】
しかしながら、電子機器間でデータの送受信を行う目的は様々であり、ペアリングを行う場合のように電子機器同士を接触させる程度に近接させて通信を行う場合の他、例えばユーザ自身が身に着けている携帯端末装置と腕時計等の電子機器との間で各種データの送受信を行う場合のように多少離れた位置にある電子機器間でデータの送受信を行う場合や、ユーザが手元から離してしまった電子機器の所在を捜索する場合のようにある程度離れた場所にあると想定される電子機器との間で送受信を行う必要がある場合もある。
【０００８】
このため、電子機器間でデータの送受信する際の電波の送受信感度は、その目的・用途・状況等に応じて適宜切り替えられることが求められる。
【０００９】
この点、携帯電話やパーソナルコンピュータ（personal computer）等では、受信回路等、通信関連モジュールにおいて送受信感度の切り替えを行っている。
しかし、通信関連モジュールにおいて送受信感度の切り替えを行う場合、通信関連モジュールの制御構成が複雑化する等の問題がある。
【００１０】
本発明は、以上のような事情に鑑みてなされたものであり、簡易な機構により、用途に応じた感度となるようにアンテナの送受信感度を調整することのできる指針式時計を提供することを目的とするものである。
【課題を解決するための手段】
【００１１】
本発明は、
外部の機器との間で無線信号を送受信するアンテナと、
感度レベルを入力する入力手段を備え、
指針駆動手段によって前記アンテナの上方を回転動作される複数の指針と、
この複数の指針を、前記指針駆動手段によって移動させて、前記アンテナとの重なり具合を調整して前記アンテナの電波送受信感度を調整する感度調整手段と、
を備え、
前記感度調整手段は、前記入力手段によって入力された感度レベルに応じて、前記指針駆動手段によって前記複数の指針を移動させて前記アンテナとの重なり具合を調整する指針式時計である。
【発明の効果】
【００１２】
感度調整にあたり、既存の指針駆動手段により同じく既存の指針を回転動作させるだけで済むので、その構成が簡易なものとなる。
また、指針と前記電波入出口との重なり具合は外部から視認可能であるので、現在の感度レベルを簡単に確認することができる。
【図面の簡単な説明】
【００１３】
【図１】本実施形態に係る腕時計の腕時計本体の正面図である。
【図２】図１の腕時計におけるII−II線断面図である。
【図３】図１の腕時計の内部回路構成を示すブロック図である。
【図４】図４（Ａ）は感度レベル５の場合の指針位置を示す図、図４（Ｂ）は感度レベル５の場合の電波の受信状態を示す図である。
【図５】図４（Ａ）は感度レベル４の場合の指針位置を示す図、図５（Ｂ）は感度レベル４の場合の電波の受信状態を示す図である。
【図６】図６（Ａ）は感度レベル３の場合の指針位置を示す図、図６（Ｂ）は感度レベル３の場合の電波の受信状態を示す図である。
【図７】図７（Ａ）は感度レベル２の場合の指針位置を示す図、図７（Ｂ）は感度レベル２の場合の電波の受信状態を示す図である。
【図８】図８（Ａ）は感度レベル１の場合の指針位置を示す図、図８（Ｂ）は感度レベル１の場合の電波の受信状態を示す図である。
【図９】針の重ね具合と感度レベルとの関係のイメージを示すグラフである。
【発明を実施するための形態】
【００１４】
以下、図面を参照して、本発明の好適な実施形態について説明する。
【００１５】
図１は、本実施形態に係る腕時計（指針式時計）の腕時計本体の正面図、図２は、図１におけるII−II線断面図である。
本実施形態に係る腕時計１００は、電気的な駆動により秒針１１ａ、分針１１ｂ、時針１１ｃを回転させて時刻を表示するものである。
【００１６】
この腕時計１００は、中空の短柱形状に形成された本体ケース１を備えている。この本体ケース１の上下両端部（図２及び図３において上下端部）、つまり時計の１２時方向側端部及び６時方向側端部には、時計バンド（図示せず）が取り付けられるバンド取付部２が形成されている。また、本体ケース１の外周部には、時刻合わせの指示、送受信感度の調節等を行うための種々の操作指示が入力される複数の操作ボタン３が設けられている。
【００１７】
本体ケース１には、上面側の開口部と、本体ケース１の下面側の開口部とを有している。そして、本体ケース１の上面側開口部には、透明なガラス等の材料で形成された風防ガラス４が上面側開口部を閉塞するように取り付けられ、一方、本体ケース１の下面側開口部には、裏蓋部材５が下面側開口部を閉塞するように取り付けられている。
【００１８】
本体ケース１の内部には、例えば樹脂等によって形成されたハウジング６が設けられている。ハウジング６には、指針１１である秒針１１ａ、分針１１ｂ、時針１１ｃを回転動作させるためのステップモータ２０８ａ、２０８ｂ、２０８ｃ及び輪列機構２０９ａ，２０９ｂ，２０９ｃと、チップ状のアンテナ１３やマイクロコンピュータその他の回路部品等を実装した回路基板１２とが設けられている。
【００１９】
また、本体ケース１において、ハウジング６と上記風防ガラス４との間には文字板１５が配置されている。この文字板１５は、上文字板１５ａと下文字板１５ｂとによって構成されている。上文字板１５ａは、時計の９時方向側部分が切り欠かれている。この切欠きの縁は上文字板１５ａの中心に向けて膨らむように円弧状となっている。そして、この切欠き部１５ａ−１からは下文字板１５ｂが露出している。この文字板１５の表面には、時字１６が、円周方向にほぼ等間隔で１２箇所に設けられている。
【００２０】
なお、風防ガラス４と文字板１５との間には、文字板１５の周縁部に沿って見切り部材１７が配設されている。
【００２１】
次に、腕時計１００の内部の回路構成を説明する。
この腕時計１００は、図３に示すように、操作ボタン３等で操作されるスイッチからなる入力部２００、ＣＰＵ（Central Processing Unit）２０１、ＲＯＭ（Read Only Memory）２０２、ＲＡＭ（Random Access Memory）２０３、計時回路部２０５、発振回路部２０６、ステップモータ２０８ａ、２０８ｂ、２０８ｃを駆動するためのモータ駆動回路２０７、アンテナ１３を備えている。ステップモータ２０８ａ、２０８ｂ、２０８ｃの回転は、輪列機構２０９ａ，２０９ｂ，２０９ｃを介して、秒針１１ａ、分針１１ｂ、時針１１ｃに伝達され、秒針１１ａ、分針１１ｂ、時針１１ｃは回転動作される。
【００２２】
ここで、入力部２００は、腕時計１００が有する各種モードの選択、各種モードの中の諸機能を選択するための入力手段である。実施形態の場合、この入力部２００から、電波送受信モードの選択や感度レベルの指定が行えるようになっている。
また、ＲＯＭ２０２には、各種プログラムが記憶されているが、実施形態の場合、感度調整プログラムや、当該感度調整プログラムを実行する際に必要とされるデータも記憶されている。
また、ＣＰＵ２０１は、ＲＯＭ２０２が記憶する各種プログラムを実行することで、腕時計１００の各種モード及び機能を実現する。
実施形態の場合、ＣＰＵ２０１は、電波の送受信の前に、入力部２００から入力された感度レベルに基づき、感度調整プログラムを実行することで、モータ駆動回路２０７を制御し、電波送受信感度を調整するようになっている。
また、モータ駆動回路２０７は、ステップモータ２０８ａ、２０８ｂ、２０８ｃ及び輪列機構２０９ａ，２０９ｂ，２０９ｃと共に指針駆動手段を構成する。
【００２３】
次に、上記腕時計１００に組み込まれている感度調整装置３０について説明する。
この感度調整装置３０は、電波の感度調整に貢献する要素の総体である。具体的には、この感度調整装置１００は、上記した指針１１、感度調整プログラム及びＣＰＵ２０１の他、アンテナ１３の配置位置及び配置構造を含んでいる。
そこで、以下では、上記では説明をしなかったアンテナ１３の配置位置及び配置構造について説明する。
【００２４】
指針１１の動作エリアの下方位置には、文字板１１及びハウジング６に亘る凹部からなる電波入出路３１が形成されている。この電波入出路３１の上端は電波入出口３１ａとなっており、文字板１６に開口している。
この電波入出口３１ａは矩形の開口であり、文字板１６における秒針１１ａ、分針１１ｂ及び時針１１ｃの全てが上方を通過する位置に形成されている。具体的には、電波入出口３１ａは、文字板１６における指針軸と０時を表示する時字との間に形成されている。
また、電波入出路３１の底部にはチップ状のアンテナ１３が回路基板１２に直付けされた状態で設置されている。
さらに、電波入出路３１を構成する周壁面は電波遮蔽体３１ｂによって構成されている。これによって、電波の送受信方向が上下方向に限定されている。
【００２５】
次に、指針１１について説明する。
実施形態の場合、指針１１として、秒針１１ａ、分針１１ｂ及び時針１１ｃを備えている。そして、秒針１１ａ、分針１１ｂ及び時針１１ｃは電波遮蔽体として構成されている。
例えば、秒針１１ａ、分針１１ｂ及び時針１１ｃは、合成樹脂などの電波透過性材料からなる基材に磁性シート等を貼付することによって形成されるか、合成樹脂などの電波透過性材料に磁性粉を含有させることによって形成されている。
【００２６】
次に、上記腕時計１００における感度調整方法を説明する。
図４から図８にはこの感度調節の例が示されている。感度レベルは数値が高くなるに連れて高くなる。図４から図８は感度レベル５から感度レベル１にそれぞれに対応している。
【００２７】
図４（Ａ）は感度レベル５の場合の指針位置を示し、図４（Ｂ）は感度レベル５の場合の電波の受信状態を示している。
この感度レベル５の場合、指針１１は１０時１０分３０秒を指す。この状態では、指針１１全てが電波入出口３１ａとは重ならない。
そのため、指針１１によって電波が遮蔽されることはないので、電波の送受信感度が最大となる。
【００２８】
図５（Ａ）は感度レベル４の場合の指針位置を示し、図５（Ｂ）は感度レベル４の場合の電波の受信状態を示している。
この感度レベル４の場合、指針１１は０時１０分３０秒を指す。この状態では、時針１１ｃが電波入出口３１ａと重なり、分針１１ｂ及び秒針１１ａは電波入出口３１ａとは重ならない。
そのため、時針１１ｃによって電波が遮蔽されるので、感度レベル５の場合よりも感度レベルが低くなる。
【００２９】
図６（Ａ）は感度レベル３の場合の指針位置を示し、図６（Ｂ）は感度レベル３の場合の電波の受信状態を示している。
この感度レベル３の場合、指針１１は０時１０分００秒を指す。この状態では、時針１１ｃ及び秒針１１ａが電波入出口３１ａと重なり、分針１１ｂは電波入出口３１ａとは重ならない。
そのため、重なり合った時針１１ｃ及び秒針１１ａ双方によって電波が遮蔽されるので、感度レベル４の場合よりも感度レベルが低くなる。
【００３０】
図７（Ａ）は感度レベル２の場合の指針位置を示し、図７（Ｂ）は感度レベル２の場合の電波の受信状態を示している。
この感度レベル２の場合、指針１１は０時００分３０秒を指す。この状態では、時針１１ｃ及び分針１１ｂが電波入出口３１ａと重なり、秒針１１ａは電波入出口３１ａとは重ならない。
そのため、重なり合った時針１１ｃ及び分針１１ｂによって電波が遮蔽されるので、感度レベル３の場合よりも感度レベルが低くなる。
その理由について説明する。
分針１１ｂは時針１１ｃの直上位置で回転動作し、秒針１１ａは時針１１ｃの上方位置で且つ当該時針１１ｃから離れて回転動作する。しかも、分針１１ｂは秒針１１ａよりも幅が広い。
そのため、時針１１ｃ及び分針１１ｂが重なった場合の方が、時針１１ｃ及び秒針１１ａが重なった場合よりも、遮蔽度が高い。
その結果、時針１１ｃ及び分針１１ｂが重なった場合の方が、時針１１ｃ及び秒針１１ａが重なった場合よりも、感度レベルが低くなる。
【００３１】
図８（Ａ）は感度レベル１の場合の指針位置を示し、図８（Ｂ）は感度レベル１の場合の電波の受信状態を示している。
この感度レベル１の場合、指針１１は０時００分００秒を指す。この状態では、時針１１ｃ、分針１１ｂ及び秒針１１ａの全てが電波入出口３１ａと重なる。
そのため、重なり合った時針１１ｃ、分針１１ｂ及び秒針１１ａの全てによって電波が遮蔽されるので、感度レベル２の場合よりも感度レベルは低くなる。
【００３２】
図９は、図４から図８で示した送受信感度レベルの推移のイメージを示すグラフである。
このように、上記感度調整装置３０によれば、指針１１の位置を変化させることで、送受信感度を５段階に変化させることができる。
なお、この実施形態では、送受信感度を５段階に変化させているが、それ以上とすることも可能である。すなわち、時針１１ｃを電波入出口３１ａに重ね合わせないで分針１１ｂ又は秒針１１ａだけを電波入出口３１ａに重ね合わせる形体、時針１１ｃを電波入出口３１ａに重ね合わせないで分針１１ｂ及び秒針１１ａの双方を電波入出口３１ａに重ね合わせる形体を加えることもできる。
【００３３】
以上の腕時計１００によれば次のような効果を得ることができる。
第１に、感度調整にあたり、既存の指針駆動手段により同じく既存の指針１１を回転動作させるだけで済むので、その構成が簡易なものとなる。
第２に、指針と前記電波入出口３１ａとの重なり具合は外部から視認可能であるので、現在の感度レベルを簡単に確認することができる。
第３に、入力部２００から感度レベルを入力できるので、所望の感度レベルを確実且つ迅速に得ることができる。また、必要な感度レベルが予め分かる場合には、一度で必要な感度レベルを設定できるため、電力消費量を抑制することができる。
第４に、周壁面が電波遮蔽体３１ｂで構成された電波入出路３１によって電波の送受信方向が限定されているので、送受信感度の制御精度を高めることができる。
【００３４】
以上、本発明のいくつかの実施形態を説明したが、本発明の範囲は、上述の実施の形態に限定されるものではなく、特許請求の範囲に記載された発明の範囲とその均等の範囲を含む。例えば、上記実施形態では、指針式時計として腕時計を説明したが、腕時計に限定されず、指針式の時計であればよい。
【００３５】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
外部の機器との間で無線信号を送受信するアンテナと、
指針駆動手段によって前記アンテナの上方を回転動作される複数の指針と、
この複数の指針を、前記指針駆動手段によって移動させて、前記アンテナとの重なり具合を調整して前記アンテナの電波送受信感度を調整する感度調整手段と、
を備えていることを特徴とする指針式時計。
＜請求項２＞
感度レベルを入力する入力手段を備え、
前記感度調整手段は、前記入力手段によって入力された感度レベルに応じて、前記指針駆動手段によって前記複数の指針を移動させて前記アンテナとの重なり具合を調整することを特徴とする請求項１記載の指針式時計。
＜請求項３＞
前記複数の指針として時針及び分針を備え、
前記感度調整手段は、電波の送受信の前に、前記指針駆動手段を制御し、前記時針及び前記分針の全てを前記アンテナと重ならない位置と、前記時針及び前記分針の少なくとも1つが前記アンテナと重なる位置とを前記時針及び前記分針に選択的に取らせることを特徴とする請求項１又は請求項２に記載の指針式時計。
＜請求項４＞
前記複数の指針として時針、分針及び秒針を備え、
前記感度調整手段は、電波の送受信の前に、前記指針駆動手段を制御し、前記時針、前記分針及び秒針の全てが前記アンテナと重ならない位置と、前記時針、前記分針及び前記秒針の少なくとも1つが前記アンテナと重なる位置とを前記時針、前記分針及び前記秒針に選択的に取らせることを特徴とする請求項１又は請求項２に記載の指針式時計。
＜請求項５＞
前記複数の指針と前記アンテナとの間に文字板が配置され、
この文字板に開口された電波入出口を有すると共に、周壁が電波遮蔽部で構成され、底部に前記アンテナが設置された電波入出路を備えることを特徴とする請求項１から４のいずれか一項に記載の指針式時計。
【符号の説明】
【００３６】
１    本体ケース
１１  指針
１１ａ  秒針
１１ｂ  分針
１１ｃ  時針
１３    アンテナ
１５    文字板
３０    感度調整装置
３１    電波入出路
３１ａ  電波入出口
３１ｂ  電波遮蔽体
１００    腕時計
【図１】
0005810680.tif 000002
【図２】
0005810680.tif 000003
【図３】
0005810680.tif 000004
【図４】
0005810680.tif 000005
【図５】
0005810680.tif 000006
【図６】
0005810680.tif 000007
【図７】
0005810680.tif 000008
【図８】
0005810680.tif 000009
【図９】
0005810680.tif 000010